(57)【要約】【課題】ポリマーネットワーク（ＰＮ）液晶表示素子のスタティック駆動方式における駆動波形のレベル切り替わり時の電流の集中を抑制すること。【解決手段】複数個のＰＮ液晶表示素子を２グループ以上にグループ化し、各セグメント電極に入力する駆動信号を正負逆の第１のレベル（Ｖｓｅｇ−）と第２のレベル（Ｖｓｅｇ＋）とすると共に共通のコモン電極に対しては０Ｖ（グランドレベル）の信号を出力し、一つのグループに含まれるＰＮ液晶表示素子のセグメント電極へ出力する前記駆動信号の前記レベルの切り替えと、他のグループに含まれるＰＮ液晶表示素子のセグメント電極へ出力する前記駆動信号の前記レベルの切り替えとで、互いに異なる状態となるように、例えば、切り替えのタイミングが互いに重ならないタイミングとなるように、前記複数個のＰＮ液晶表示素子の各セグメント電極に出力する前記駆動信号を制御する。【選択図】図１
2011150018.tif 000002
【特許請求の範囲】
【請求項１】
第１のレベルと第２のレベルとで所定周期で切り替わる駆動信号を、複数個のポリマーネットワーク液晶表示素子のそれぞれのセグメント電極に入力して、スタティック駆動するポリマーネットワーク液晶駆動装置において、
前記複数個のポリマーネットワーク液晶表示素子を、２グループ以上にグループ化し、
前記駆動信号の前記第１のレベルと前記第２のレベルとを正負逆の同一レベルとし、
全ポリマーネットワーク液晶表示素子に共通のコモン電極に対してはグランドレベルの信号を出力し、
一つのグループに含まれるポリマーネットワーク液晶表示素子のセグメント電極へ出力する前記駆動信号の前記レベルの切り替えと、
他のグループに含まれるポリマーネットワーク液晶表示素子のセグメント電極へ出力する前記駆動信号の前記レベルの切り替えと、
で、互いに異なる状態となるように、前記複数個のポリマーネットワーク液晶表示素子の各セグメント電極に出力する前記駆動信号を制御する、
ことを特徴とするポリマーネットワーク液晶駆動装置。
【請求項２】
前記互いに異なる状態とは、
一つのグループに含まれるポリマーネットワーク液晶表示素子のセグメント電極へ出力する前記駆動信号の前記レベルの切り替えのタイミングと、
他のグループに含まれるポリマーネットワーク液晶表示素子のセグメント電極へ出力する前記駆動信号の前記レベルの切り替えのタイミングと、
が、互いに重ならないタイミングであることを特徴とする請求項１に記載のポリマーネットワーク液晶駆動装置。
【請求項３】
さらに、各グループに含まれるポリマーネットワーク液晶表示素子を２つのサブグループにグループ化し、
一方のサブグループに含まれるポリマーネットワーク液晶表示素子のセグメント電極へ出力する前記駆動信号の前記レベルの正負の切り替え方向と、
他方のサブグループに含まれるポリマーネットワーク液晶表示素子のセグメント電極へ出力する前記駆動信号の前記レベルの正負の切り替えの方向と、
を、反対方向とすることを特徴とする請求項２に記載のポリマーネットワーク液晶駆動装置。
【請求項４】
前記互いに異なる状態とは、
一つのグループに含まれるポリマーネットワーク液晶表示素子のセグメント電極へ出力する前記駆動信号の前記レベルの正負の切り替え方向と、
他のグループに含まれるポリマーネットワーク液晶表示素子のセグメント電極へ出力する前記駆動信号の前記レベルの正負の切り替えの方向と、
が、反対方向であることを特徴とする請求項１に記載のポリマーネットワーク液晶駆動装置。
【請求項５】
さらに、前記切り替えの方向が正負逆のグループ対を複数にして、各グループ対の切り替えのタイミングを互いに異ならせることを特徴とする請求項４に記載のポリマーネットワーク液晶駆動装置。
【請求項６】
前記セグメント電極へ出力する前記駆動信号として、
前記第１のレベルから前記第２のレベルへ切り替えるレベル切り替えの際に、前記第１のレベルの信号状態から、一旦グラウンドレベルの信号状態を所定時間出力した後、前記第２のレベルの信号状態となる信号を出力することと、
前記セグメント電極へ出力する前記駆動信号として、前記第２のレベルから前記第１のレベルへ切り替えるレベル切り替えの際に、一旦グラウンドレベルの信号状態を所定時間出力した後、前記第１のレベルの信号状態となる信号を出力することと、
の少なくとも一方を行なうことを特徴とする請求項２乃至５の何れかに記載のポリマーネットワーク液晶駆動装置。
【請求項７】
前記複数個のポリマーネットワーク液晶表示素子が形成された透明基板上にＣＯＧ実装されることを特徴とする請求項１乃至６の何れかに記載のポリマーネットワーク液晶駆動装置。
【請求項８】
第１のレベルと第２のレベルとで所定周期で切り替わる駆動信号を、複数個のポリマーネットワーク液晶表示素子のそれぞれのセグメント電極に入力して、スタティック駆動する際に、
前記複数個のポリマーネットワーク液晶表示素子を、２グループ以上にグループ化し、
前記駆動信号の前記第１のレベルと前記第２のレベルとを正負逆の同一レベルとし、
全ポリマーネットワーク液晶表示素子に共通のコモン電極に対してはグランドレベルの信号を出力し、
一つのグループに含まれるポリマーネットワーク液晶表示素子のセグメント電極へ出力する前記駆動信号の前記レベルの切り替えと、
他のグループに含まれるポリマーネットワーク液晶表示素子のセグメント電極へ出力する前記駆動信号の前記レベルの切り替えと、
で、互いに異なる状態となるように、前記複数個のポリマーネットワーク液晶表示素子の各セグメント電極に出力する前記駆動信号を制御する、
ことを特徴とするポリマーネットワーク液晶駆動方法。
【請求項９】
前記互いに異なる状態とは、
一つのグループに含まれるポリマーネットワーク液晶表示素子のセグメント電極へ出力する前記駆動信号の前記レベルの切り替えのタイミングと、
他のグループに含まれるポリマーネットワーク液晶表示素子のセグメント電極へ出力する前記駆動信号の前記レベルの切り替えのタイミングと、
が、互いに重ならないタイミングであることを特徴とする請求項８に記載のポリマーネットワーク液晶駆動方法。
【請求項１０】
さらに、各グループに含まれるポリマーネットワーク液晶表示素子を２つのサブグループにグループ化し、
一方のサブグループに含まれるポリマーネットワーク液晶表示素子のセグメント電極へ出力する前記駆動信号の前記レベルの正負の切り替え方向と、
他方のサブグループに含まれるポリマーネットワーク液晶表示素子のセグメント電極へ出力する前記駆動信号の前記レベルの正負の切り替えの方向と、
を、反対方向とすることを特徴とする請求項９に記載のポリマーネットワーク液晶駆動方法。
【請求項１１】
前記互いに異なる状態とは、
一つのグループに含まれるポリマーネットワーク液晶表示素子のセグメント電極へ出力する前記駆動信号の前記レベルの正負の切り替え方向と、
他のグループに含まれるポリマーネットワーク液晶表示素子のセグメント電極へ出力する前記駆動信号の前記レベルの正負の切り替えの方向と、
が、反対方向であることを特徴とする請求項８に記載のポリマーネットワーク液晶駆動方法。
【請求項１２】
さらに、前記切り替えの方向が正負逆のグループ対を複数にして、各グループ対の切り替えのタイミングを互いに異ならせることを特徴とする請求項１１に記載のポリマーネットワーク液晶駆動方法。
【請求項１３】
前記セグメント電極へ出力する前記駆動信号として、
前記第１のレベルから前記第２のレベルへ切り替えるレベル切り替えの際に、前記第１のレベルの信号状態から、一旦グラウンドレベルの信号状態を所定時間出力した後、前記第２のレベルの信号状態となる信号を出力することと、
前記セグメント電極へ出力する前記駆動信号として、前記第２のレベルから前記第１のレベルへ切り替えるレベル切り替えの際に、一旦グラウンドレベルの信号状態を所定時間出力した後、前記第１のレベルの信号状態となる信号を出力することと、
の少なくとも一方を行なうことを特徴とする請求項９乃至１２の何れかに記載のポリマーネットワーク液晶駆動方法。
【請求項１４】
透明基板と、
前記透明基板上に形成された複数個のポリマーネットワーク液晶表示素子と、
前記透明基板上にＣＯＧ実装された、請求項１乃至６の何れかに記載のポリマーネットワーク液晶駆動装置と、
を具備することを特徴とするポリマーネットワーク液晶パネル。
【発明の詳細な説明】
【技術分野】
【０００１】
本発明は、ポリマーネットワーク液晶表示素子を駆動する駆動装置及び駆動方法、並びに、そのような駆動装置を搭載したポリマーネットワーク液晶パネルに関する。
【背景技術】
【０００２】
液晶表示素子は、薄く、消費電力が少ない等の特長から様々な用途の表示パネルに用いられている。液晶表示素子の一般的な表示モードとしては、ツイストネマティックモード等、液晶層を２枚の偏光板で挟んだ構成を有する液晶パネルにより、光源であるバックライトから出た光のうち、当該２枚の偏光板を透過する光の量を制御することで画像の表示を行う方法が知られている。しかし、偏光板は光の吸収率が高く、偏光板を使用する場合、明るい表示の実現のためには明るい光源が必要であり、多くのエネルギーを必要とする。
【０００３】
一方で、例えば特許文献１に開示されている様な、ポリマーネットワーク液晶表示素子が知られている。このポリマーネットワーク液晶表示素子は、ポリマーネットワークに分散された液晶層中の液晶分子の配向を、液晶層を挟むように配置された電極によって発生させた電場で制御し、液晶層を光透過状態と光散乱状態とに変化させることで、表示を制御することが可能となっている。
【０００４】
図９（Ａ）は、スタティック駆動方式でのポリマーネットワーク液晶表示素子のオン表示時の両電極への印加電圧波形を表すタイミングチャートを示す図であり、図９（Ｂ）は、同じくオフ表示時の印加電圧波形を表すタイミングチャートを示す図である。ポリマーネットワーク液晶表示素子の液晶層を挟むように配置された電極の一方をコモン電極、他方をセグメント電極とし、コモン電極駆動波形をＣＯＭ、オン表示時のセグメント電極波形をＳＥＧ  ＯＮ、オフ表示時のセグメント電極波形をＳＥＧ  ＯＦＦで、それぞれ示している。これらは、最高値が電圧Ｖｓｅｇで最低値が電圧０Ｖ（グランドレベル）の方形波である。
【０００５】
図９（Ａ）に示すように、コモン電極駆動波形ＣＯＭに対しオン表示時のセグメント電極波形ＳＥＧ  ＯＮは逆相になっている。このときポリマーネットワーク液晶表示素子は大きな電圧（実効値）が印加されオン表示となる。このオン表示では、液晶層は光透過状態つまり透明状態となる。ポリマーネットワーク液晶の場合、５Ｖ程度以上でオンするものが一般的である。
【０００６】
反対に、図９（Ｂ）に示すように、コモン電極駆動波形ＣＯＭに対しオフ表示時のセグメント電極波形ＳＥＧ  ＯＦＦは同相になっている。このときポリマーネットワーク液晶表示素子は電圧（実効値）が印加されずオフ表示となる。このオフ表示では、液晶層は光散乱状態つまり拡散状態となる。
【０００７】
この様なポリマーネットワーク液晶表示素子では、偏光板が不要であるため、偏光板の吸収による光損失がなく、光を有効に用いることができる。従って明るい表示が可能である。
【先行技術文献】
【特許文献】
【０００８】
【特許文献１】特開２００３−２７０６５７号公報
【発明の概要】
【発明が解決しようとする課題】
【０００９】
上述のように、ポリマーネットワーク液晶においても、印加電圧のレベル切り替えを行なって交流駆動する必要があるので、ポリマーネットワーク液晶駆動装置は、コモン電極駆動波形ＣＯＭを交流化周期で第１のレベルから第２のレベルへ、又は、前記第２のレベルから前記第１のレベルへ、切り替えを行ない、セグメント電極波形ＳＥＧは、表示内容が拡散状態（ＳＥＧ  ＯＦＦ状態）か透明状態（ＳＥＧ  ＯＮ状態）かで、コモン電極駆動波形ＣＯＭ信号に対して同相か逆相かを切り替えて、前記第１のレベルから前記第２のレベルへ、又は、前記第２のレベルから前記第１のレベルへ切り替え出力するようになっている。
【００１０】
前記のようなポリマーネットワーク液晶表示素子を多数配設したポリマーネットワーク液晶パネルにあっては、例えば全てのポリマーネットワーク液晶表示素子が同一表示状態となる場合がある。このような場合、セグメント電極波形ＳＥＧの切り替わり方向が同一方向であるので、切り替え時の電流集中が大きい。
【００１１】
一方、ポリマーネットワーク液晶駆動装置をＬＳＩ化して液晶パネルガラス上にＣＯＧ（Chip On Glass）実装したポリマーネットワーク液晶パネルを製造する場合、限られたスペースに多数の配線パターンを配置しなければならない。このポリマーネットワーク液晶パネルにおいても、搭載されるポリマーネットワーク液晶のセグメント数の増加と狭額縁化とが望まれている。そのため、配線パターンが細線化すると共に、隣接配線パターン間の間隔も非常に小さなものとなり、配線抵抗が大きくなる。
【００１２】
このように大きな配線抵抗を持つ配線パターンに前述のように切り替え時に大電流が流れることで電圧降下が大きなものとなって、ポリマーネットワーク液晶に十分な駆動電圧を印加することができず、所望の表示状態が得られなくなるという問題が発生してしまう。そのため、ポリマーネットワーク液晶駆動装置を液晶パネルガラス上にＣＯＧ実装したポリマーネットワーク液晶パネルの狭額縁化が、望まれているにもかかわらず、達成することが難しかった。
【００１３】
そこで本発明は、スタティック駆動方式における駆動波形のレベル切り替わり時の電流の集中を抑制することが可能なポリマーネットワーク液晶駆動装置及び駆動方法、並びにポリマーネットワーク液晶パネルを提供することを目的とする。
【課題を解決するための手段】
【００１４】
請求項１に記載のポリマーネットワーク液晶駆動装置は、
第１のレベルと第２のレベルとで所定周期で切り替わる駆動信号を、複数個のポリマーネットワーク液晶表示素子のそれぞれのセグメント電極に入力して、スタティック駆動するポリマーネットワーク液晶駆動装置において、
前記複数個のポリマーネットワーク液晶表示素子を、２グループ以上にグループ化し、
前記駆動信号の前記第１のレベルと前記第２のレベルとを正負逆の同一レベルとし、
全ポリマーネットワーク液晶表示素子に共通のコモン電極に対してはグランドレベルの信号を出力し、
一つのグループに含まれるポリマーネットワーク液晶表示素子のセグメント電極へ出力する前記駆動信号の前記レベルの切り替えと、
他のグループに含まれるポリマーネットワーク液晶表示素子のセグメント電極へ出力する前記駆動信号の前記レベルの切り替えと、
で、互いに異なる状態となるように、前記複数個のポリマーネットワーク液晶表示素子の各セグメント電極に出力する前記駆動信号を制御する、
ことを特徴とする。  
請求項２に記載のポリマーネットワーク液晶駆動装置は、前記請求項１に記載のポリマーネットワーク液晶駆動装置において、
前記互いに異なる状態とは、
一つのグループに含まれるポリマーネットワーク液晶表示素子のセグメント電極へ出力する前記駆動信号の前記レベルの切り替えのタイミングと、
他のグループに含まれるポリマーネットワーク液晶表示素子のセグメント電極へ出力する前記駆動信号の前記レベルの切り替えのタイミングと、
が、互いに重ならないタイミングであることを特徴とする。  
請求項３に記載のポリマーネットワーク液晶駆動装置は、前記請求項２に記載のポリマーネットワーク液晶駆動装置において、
さらに、各グループに含まれるポリマーネットワーク液晶表示素子を２つのサブグループにグループ化し、
一方のサブグループに含まれるポリマーネットワーク液晶表示素子のセグメント電極へ出力する前記駆動信号の前記レベルの正負の切り替え方向と、
他方のサブグループに含まれるポリマーネットワーク液晶表示素子のセグメント電極へ出力する前記駆動信号の前記レベルの正負の切り替えの方向と、
を、反対方向とすることを特徴とする。  
請求項４に記載のポリマーネットワーク液晶駆動装置は、前記請求項１に記載のポリマーネットワーク液晶駆動装置において、
前記互いに異なる状態とは、
一つのグループに含まれるポリマーネットワーク液晶表示素子のセグメント電極へ出力する前記駆動信号の前記レベルの正負の切り替え方向と、
他のグループに含まれるポリマーネットワーク液晶表示素子のセグメント電極へ出力する前記駆動信号の前記レベルの正負の切り替えの方向と、
が、反対方向であることを特徴とする。  
請求項５に記載のポリマーネットワーク液晶駆動装置は、前記請求項４に記載のポリマーネットワーク液晶駆動装置において、
さらに、前記切り替えの方向が正負逆のグループ対を複数にして、各グループ対の切り替えのタイミングを互いに異ならせることを特徴とする。  
請求項６に記載のポリマーネットワーク液晶駆動装置は、前記請求項２乃至５の何れかに記載のポリマーネットワーク液晶駆動装置において、
前記セグメント電極へ出力する前記駆動信号として、
前記第１のレベルから前記第２のレベルへ切り替えるレベル切り替えの際に、前記第１のレベルの信号状態から、一旦グラウンドレベルの信号状態を所定時間出力した後、前記第２のレベルの信号状態となる信号を出力することと、
前記セグメント電極へ出力する前記駆動信号として、前記第２のレベルから前記第１のレベルへ切り替えるレベル切り替えの際に、一旦グラウンドレベルの信号状態を所定時間出力した後、前記第１のレベルの信号状態となる信号を出力することと、
の少なくとも一方を行なうことを特徴とする。  
請求項７に記載のポリマーネットワーク液晶駆動装置は、前記請求項１乃至６の何れかに記載のポリマーネットワーク液晶駆動装置において、
前記複数個のポリマーネットワーク液晶表示素子が形成された透明基板上にＣＯＧ実装されることを特徴とする。  
請求項８に記載のポリマーネットワーク液晶駆動方法は、
第１のレベルと第２のレベルとで所定周期で切り替わる駆動信号を、複数個のポリマーネットワーク液晶表示素子のそれぞれのセグメント電極に入力して、スタティック駆動する際に、
前記複数個のポリマーネットワーク液晶表示素子を、２グループ以上にグループ化し、
前記駆動信号の前記第１のレベルと前記第２のレベルとを正負逆の同一レベルとし、
全ポリマーネットワーク液晶表示素子に共通のコモン電極に対してはグランドレベルの信号を出力し、
一つのグループに含まれるポリマーネットワーク液晶表示素子のセグメント電極へ出力する前記駆動信号の前記レベルの切り替えと、
他のグループに含まれるポリマーネットワーク液晶表示素子のセグメント電極へ出力する前記駆動信号の前記レベルの切り替えと、
で、互いに異なる状態となるように、前記複数個のポリマーネットワーク液晶表示素子の各セグメント電極に出力する前記駆動信号を制御する、
ことを特徴とする。  
請求項９に記載のポリマーネットワーク液晶駆動方法は、前記請求項８に記載のポリマーネットワーク液晶駆動方法において、
前記互いに異なる状態とは、
一つのグループに含まれるポリマーネットワーク液晶表示素子のセグメント電極へ出力する前記駆動信号の前記レベルの切り替えのタイミングと、
他のグループに含まれるポリマーネットワーク液晶表示素子のセグメント電極へ出力する前記駆動信号の前記レベルの切り替えのタイミングと、
が、互いに重ならないタイミングであることを特徴とする。  
請求項１０に記載のポリマーネットワーク液晶駆動方法は、前記請求項９に記載のポリマーネットワーク液晶駆動方法において、
さらに、各グループに含まれるポリマーネットワーク液晶表示素子を２つのサブグループにグループ化し、
一方のサブグループに含まれるポリマーネットワーク液晶表示素子のセグメント電極へ出力する前記駆動信号の前記レベルの正負の切り替え方向と、
他方のサブグループに含まれるポリマーネットワーク液晶表示素子のセグメント電極へ出力する前記駆動信号の前記レベルの正負の切り替えの方向と、
を、反対方向とすることを特徴とする。  
請求項１１に記載のポリマーネットワーク液晶駆動方法は、前記請求項８に記載のポリマーネットワーク液晶駆動方法において、
前記互いに異なる状態とは、
一つのグループに含まれるポリマーネットワーク液晶表示素子のセグメント電極へ出力する前記駆動信号の前記レベルの正負の切り替え方向と、
他のグループに含まれるポリマーネットワーク液晶表示素子のセグメント電極へ出力する前記駆動信号の前記レベルの正負の切り替えの方向と、
が、反対方向であることを特徴とする。  
請求項１２に記載のポリマーネットワーク液晶駆動方法は、前記請求項１１に記載のポリマーネットワーク液晶駆動方法において、
さらに、前記切り替えの方向が正負逆のグループ対を複数にして、各グループ対の切り替えのタイミングを互いに異ならせることを特徴とする。  
請求項１３に記載のポリマーネットワーク液晶駆動方法は、前記請求項９乃至１２の何れかに記載のポリマーネットワーク液晶駆動方法において、
前記セグメント電極へ出力する前記駆動信号として、
前記第１のレベルから前記第２のレベルへ切り替えるレベル切り替えの際に、前記第１のレベルの信号状態から、一旦グラウンドレベルの信号状態を所定時間出力した後、前記第２のレベルの信号状態となる信号を出力することと、
前記セグメント電極へ出力する前記駆動信号として、前記第２のレベルから前記第１のレベルへ切り替えるレベル切り替えの際に、一旦グラウンドレベルの信号状態を所定時間出力した後、前記第１のレベルの信号状態となる信号を出力することと、
の少なくとも一方を行なうことを特徴とする。  
請求項１４に記載のポリマーネットワーク液晶パネルは、
透明基板と、
前記透明基板上に形成された複数個のポリマーネットワーク液晶表示素子と、
前記透明基板上にＣＯＧ実装された、前記請求項１乃至６の何れかに記載のポリマーネットワーク液晶駆動装置と、
を具備することを特徴とする。
【発明の効果】
【００１５】
本発明によれば、コモン電極駆動信号をグランドレベルとすると共にセグメント電極駆動信号を正負逆の同一レベル電圧が周期的に切り替わる駆動信号とし、且つ、複数個のポリマーネットワーク液晶表示素子を２グループ以上にグループ化して、セグメント電極駆動波形のレベル切り替わり状態をグループ間で異なるようにしたことにより、スタティック駆動方式における駆動波形のレベル切り替わり時の電流の集中を抑制することが可能となる。よって、ＣＯＧ実装による狭額縁のポリマーネットワーク液晶パネルを製造することが可能となる。
【図面の簡単な説明】
【００１６】
【図１】図１（Ａ）は、本発明の第１実施形態に係るポリマーネットワーク液晶駆動装置及び駆動方法におけるオン表示時の印加電圧波形を表すタイミングチャートを示す図であり、図１（Ｂ）は、同じくオフ表示時の印加電圧波形を表すタイミングチャートを示す図である。
【図２】図２（Ａ）は、ポリマーネットワーク液晶表示素子の電圧印加時の動作を説明するための図であり、図２（Ｂ）は同じく電圧非印加時の動作を説明するための図である。
【図３】図３（Ａ）は、本発明の第１実施形態に係るポリマーネットワーク液晶パネルの適用例を説明するための一眼レフレックスカメラの光路を示す図であり、図３（Ｂ）は、ファインダ内表示の例を示す図であり、図３（Ｃ）及び（Ｄ）は、それぞれ、ポリマーネットワーク液晶パネルの構成例を説明するための図である。
【図４】図４（Ａ）は、本発明の第２実施形態に係るポリマーネットワーク液晶駆動装置及び駆動方法におけるオン表示時の印加電圧波形を表すタイミングチャートを示す図であり、図４（Ｂ）は、同じくオフ表示時の印加電圧波形を表すタイミングチャートを示す図である。
【図５】図５（Ａ）は、本発明の第３実施形態に係るポリマーネットワーク液晶駆動装置及び駆動方法におけるオン表示時の印加電圧波形を表すタイミングチャートを示す図であり、図５（Ｂ）は、同じくオフ表示時の印加電圧波形を表すタイミングチャートを示す図である。
【図６】図６（Ａ）は、本発明の第４実施形態に係るポリマーネットワーク液晶駆動装置及び駆動方法におけるオン表示時の印加電圧波形を表すタイミングチャートを示す図であり、図６（Ｂ）は、同じくオフ表示時の印加電圧波形を表すタイミングチャートを示す図である。
【図７】図７（Ａ）は、本発明の第５実施形態に係るポリマーネットワーク液晶駆動装置及び駆動方法におけるオン表示時の印加電圧波形を表すタイミングチャートを示す図であり、図７（Ｂ）は、同じくオフ表示時の印加電圧波形を表すタイミングチャートを示す図である。
【図８】図８（Ａ）は、本発明の第６実施形態に係るポリマーネットワーク液晶駆動装置及び駆動方法におけるオン表示時の印加電圧波形を表すタイミングチャートを示す図であり、図８（Ｂ）は、同じくオフ表示時の印加電圧波形を表すタイミングチャートを示す図である。
【図９】図９（Ａ）は、従来のポリマーネットワーク液晶駆動装置及び駆動方法におけるオン表示時の印加電圧波形を表すタイミングチャートを示す図であり、図９（Ｂ）は、同じくオフ表示時の印加電圧波形を表すタイミングチャートを示す図である。
【発明を実施するための形態】
【００１７】
［第１実施形態］
以下、本発明の第１実施形態について図１乃至図３を参照して説明する。ここで、図１（Ａ）は、本第１実施形態に係るポリマーネットワーク（以下、ＰＮと略記する）液晶駆動装置及び駆動方法におけるオン表示時の印加電圧波形を表すタイミングチャートを示す図であり、図１（Ｂ）は、同じくオフ表示時の印加電圧波形を表すタイミングチャートを示す図である。また、図２（Ａ）は、ＰＮ液晶表示素子の電圧印加時の動作を説明するための図であり、図２（Ｂ）は同じく電圧非印加時の動作を説明するための図である。また、図３（Ａ）は、本第１実施形態に係るＰＮ液晶パネルの適用例を説明するための一眼レフレックスカメラの光路を示す図であり、図３（Ｂ）は、ファインダ内表示の例を示す図であり、図３（Ｃ）及び（Ｄ）は、それぞれ、ＰＮ液晶パネルの構成例を説明するための図である。
【００１８】
ＰＮ液晶表示素子は、図２（Ａ）に示すように、例えばガラス基板等である光源側透明基板１上に、例えば酸化インジウム錫（ＩＴＯ）膜等の透明導電膜を成膜して構成されたコモン電極２が形成されている。また、例えばガラス基板等の透明基板である観察側透明基板３上に、例えばＩＴＯ膜等で構成されるセグメント電極４が形成されている。そして、光源側透明基板１のコモン電極２側と、観察側透明基板３のセグメント電極４側とは、均一な間隙を形成するように、図示しないギャップ材を介して貼り合わされている。この間隙には、ＰＮ５中に液晶分子６が分散して構成されている液晶層が封入されている。
【００１９】
このような構造において、図２（Ａ）に示すようにコモン電極２とセグメント電極４との間に電場が形成されていない状態では、ＰＮ５中に分散された液晶分子６は、任意の方向を向いている。この場合、ＰＮ５の屈折率と液晶分子６の平均屈折率が異なるようにすると、光源側透明基板１側から入射した入射光７は、散乱しながら液晶層を透過し、その散乱光８は、観察側透明基板３から射出される。従って、液晶分子６が任意の方向を向いた液晶層に入射した光は、観察側透明基板３側から散乱して射出されるため、観察側透明基板３側からは白濁した光として観察される。
【００２０】
一方、図２（Ｂ）に示すようにコモン電極２とセグメント電極４との間に十分に大きな電場が形成されている状態では、発生した電場に従って、ＰＮ５中に分散された液晶分子６は、一方向に配向する。この場合、ＰＮ５の屈折率と一方向に配向した液晶分子６の屈折率が同一となるようにすると、光源側透明基板１側から入射した入射光７は、液晶層内を直進し、観察側透明基板３から透過光９として射出する。このように、液晶分子６が一方向に配向した液晶層に入射した光は、観察側透明基板３側から直線状に射出されるため、即ち、ＰＮ液晶表示素子は透明状態となるため、観察側透明基板３側からは該ＰＮ液晶表示素子に入射した光がそのまま観察されることとなる。
【００２１】
このように、ＰＮ液晶表示素子は、ＰＮ５に分散された液晶層中の液晶分子６の配向を、液晶層を挟むように配置されたコモン電極２，セグメント電極４によって発生させた電場で制御し、液晶層を光透過状態と光散乱状態とに変化させることで、表示を制御することが可能となっている。なお、図２の例では、光源側透明基板１側にコモン電極２、観察側透明基板３側にセグメント電極４を形成しているが、光源側透明基板１側にセグメント電極４、観察側透明基板３側にコモン電極２を形成しても良いことは勿論である。
【００２２】
このようなＰＮ液晶表示素子をセグメントとして複数配置してＰＮ液晶パネルを形成する場合、光源側透明基板１及び観察側透明基板３を共通として、光源側透明基板１上にコモン電極２を隙間なく均一にベタ形成し、液晶層とセグメント電極４を所望の形状で配設する。
【００２３】
このようにして形成したＰＮ液晶パネルは、例えば、図３（Ａ）及び（Ｂ）に示すように、一眼レフレックスカメラのファインダ内表示に適用されることができる。一眼レフレックスカメラでは、図３（Ａ）に示すように、被写体からの光は、レンズ１０を介してカメラ本体１１内に導かれ、ミラー１２で反射されて、ピントグラス１３上に被写体の実像を結像する。この被写体像は、ペンタプリズム１４によりファインダ１５に導かれ、観察できるようになっている。ピントグラス１３とペンタプリズム１４の間に、本実施形態に係るＰＮ液晶パネル１６が配置され、ピントグラス１３に映った実像に各種情報を重ねて表示する。この情報としては、例えば、図３（Ｂ）に示すような、構図用格子線１７やフォーカスポイント表示１８（この例では５１点）を含み、それらの各形状に合わせてＰＮ液晶表示素子の液晶層とセグメント電極４を形成する。勿論、カメラのモード表示や、電池残量等、その他の情報表示を行なうことも可能である。各ＰＮ液晶表示素子をオフ表示とすることで液晶層を光散乱状態とし、ピントグラス１３に映った実像上に情報を白色表示として重畳表示させる。
【００２４】
なお、一眼レフレックスカメラでは、ミラー１２をアップしてシャッタ１９を開けてフィルム又は撮像素子２０に被写体光を導いて撮影を行なうため、ミラーアップ状態ではＰＮ液晶パネル１６には被写体像が導かれず、ファインダ１５からはＰＮ液晶パネル１６に表示された情報のみが観察されることとなる。
【００２５】
ＰＮ液晶パネル１６は、図３（Ｃ）に示すように、液晶パネルガラス２１上に、表示部２２、駆動ドライバ２３が、ＣＯＧ実装されたものである。ここで、表示部２２には複数のＰＮ液晶表示素子が配されるもので、液晶パネルガラス２１が前記光源側透明基板１として用いられている。駆動ドライバ２３は、各ＰＮ液晶表示素子を駆動するためのＬＳＩ化されたＰＮ液晶駆動装置であり、液晶パネルガラス２１には、該駆動ドライバ２３から各ＰＮ液晶表示素子のセグメント電極４及び共通のコモン電極２への給電を行なうための配線パターン２５と、が形成されている。また、カメラ本体１１内に構成された不図示のカメラ制御部からの制御信号等を供給するためのフレキシブル基板２６とＡＦＣ接続される図示しない端子部との間を接続する配線パターン２７も形成されている。なお、ＡＦＣ接続とは、異方性導電フィルムを用いて電気的な接続を行なう接続形態のことである。
【００２６】
このＰＮ液晶パネル１６において、狭額縁化を図ると、図３（Ｄ）に示すような配置構成が採られる。即ち、駆動ドライバ２３と不図示端子部とを併設し、配線パターン２５，２７を細線化すると共に隣接配線パターンに近接して引き回すこととなる。この配線パターン２５，２７の細線化及び近接配置は、表示部２２のＰＮ液晶表示素子数つまりセグメント数が数個から十数個であればそれ程問題とはならないが、図３（Ａ）及び（Ｂ）に示すような一眼レフレックスカメラのファインダ内表示に適用した場合には、百個を超えるセグメント数となり、大きな配線抵抗を呈するものとなる。そして、それら全セグメントを同一表示状態としなければならないため、印加電圧のレベル切り替えを行なって交流駆動した際のセグメント電極波形のレベル切り替わり時には、そのように大きな配線抵抗を持つ配線パターン２５に大電流が流れてしまい、駆動電圧の降下が大きなものとなってしまう。これにより、各ＰＮ液晶表示素子に、所望の表示状態とするのに十分な電圧を印加することができず、その所望の表示状態が得られなくなってしまう。
【００２７】
そこで、本実施形態では、駆動ドライバ２３は、図１（Ａ）及び（Ｂ）に示すような駆動を行なう。
【００２８】
即ち、コモン電極２に印加するコモン電極駆動波形ＣＯＭは、従来は、電圧０Ｖ（グランドレベル）の最低値と電圧Ｖｓｅｇ（例えば５Ｖ）の最高値が所定周期で切り替わる方形波であったものを、本実施形態では、直流０Ｖ（グランドレベル）に固定する。
【００２９】
また、表示部２２に配された多数のＰＮ液晶表示素子を２グループ以上（本実施形態では２グループＡ，Ｂ）にグループ化し、コモン電極２とセグメント電極４との間に従来と同様の電位差を与えるために、各グループのセグメント電極４に印加されるセグメント電極波形ＳＥＧ−Ａ，ＳＥＧ−Ｂは、従来の電圧０Ｖ（グランドレベル）の最低値と電圧Ｖｓｅｇ（例えば５Ｖ）の最高値を所定周期で切り替える方形波から、最低値が第１のレベルである電圧Ｖｓｅｇ−（例えば−５Ｖ）で最高値が第２のレベルである電圧Ｖｓｅｇ＋（例えば＋５Ｖ）が所定周期で切り替わる方形波とする。そして、それらセグメント電極波形ＳＥＧ−Ａ，ＳＥＧ−Ｂの周期的なレベル切り替わり状態をグループ間で異なるように行なう。即ち、本実施形態では、一つのグループに含まれるＰＮ液晶表示素子のセグメント電極４へ出力するセグメント電極波形（例えばＳＥＧ−Ａ）の前記レベルの切り替えのタイミングと、他のグループに含まれるＰＮ液晶表示素子のセグメント電極４へ出力するセグメント電極波形（例えばＳＥＧ−Ｂ）の前記レベルの切り替えのタイミングとが、互いに重ならないタイミングとなるようにする。
【００３０】
具体的には、オン表示（透明状態）時には、図１（Ａ）に示すように、まず、第１のグループＡに属するＰＮ液晶表示素子のセグメント電極４に印加されるセグメント電極波形ＳＥＧ−Ａを切り替えるタイミングとなったならば、該セグメント電極波形ＳＥＧ−Ａを第２のレベルである電圧Ｖｓｅｇ＋から第１のレベルである電圧Ｖｓｅｇ−に切り替える。このとき、第２のグループＢに属するＰＮ液晶表示素子のセグメント電極４に印加されるセグメント電極波形ＳＥＧ−Ｂは第２のレベルである電圧Ｖｓｅｇ＋のままとする。そして、セグメント電極波形ＳＥＧ−Ａが第１のレベルである電圧Ｖｓｅｇ−に切り替わったならば、次に、セグメント電極波形ＳＥＧ−Ｂを第２のレベルである電圧Ｖｓｅｇ＋から第１のレベルである電圧Ｖｓｅｇ−に切り替える。こうして、各セグメント電極波形ＳＥＧ−Ａ，ＳＥＧ−Ｂが、第２のレベルである電圧Ｖｓｅｇ＋から第１のレベルである電圧Ｖｓｅｇ−に切り替えられる。
【００３１】
そして、前記所定周期が経過してセグメント電極波形ＳＥＧ−Ａを切り替えるタイミングとなったならば、該セグメント電極波形ＳＥＧ−Ａを第１のレベルである電圧Ｖｓｅｇ−から第２のレベルである電圧Ｖｓｅｇ＋に切り替える。このとき、セグメント電極波形ＳＥＧ−Ｂは第１のレベルである電圧Ｖｓｅｇ−のままとする。そして、セグメント電極波形ＳＥＧ−Ａが第２のレベルである電圧Ｖｓｅｇ＋に切り替わったならば、次に、セグメント電極波形ＳＥＧ−Ｂを第１のレベルである電圧Ｖｓｅｇ−から第２のレベルである電圧Ｖｓｅｇ＋に切り替える。こうして、各セグメント電極波形ＳＥＧ−Ａ，ＳＥＧ−Ｂが、第１のレベルである電圧Ｖｓｅｇ−から第２のレベルである電圧Ｖｓｅｇ＋に切り替えられる。  
以上のレベル切り替えを交互に行なう。
【００３２】
また、オフ表示（拡散状態）時には、図１（Ｂ）に示すように、セグメント電極波形ＳＥＧ−Ａ，ＳＥＧ−Ｂともに、前記コモン電極駆動波形ＣＯＭと同様、電圧０Ｖ（グランドレベル）のままとする。
【００３３】
従って、前記駆動ドライバ２３は、第１のレベルと第２のレベルとで所定周期で切り替わる駆動信号を、複数個のＰＮ液晶表示素子のそれぞれのセグメント電極４に入力して、スタティック駆動するＰＮ液晶駆動装置であって、前記複数個のＰＮ液晶表示素子を、２グループ以上にグループ化し、前記駆動信号の前記第１のレベルと前記第２のレベルとを正負逆の同一レベルとし、全ＰＮ液晶表示素子に共通のコモン電極２に対してはグランドレベルの信号を出力し、一つのグループに含まれるＰＮ液晶表示素子のセグメント電極４へ出力する前記駆動信号の前記レベルの切り替えと、他のグループに含まれるＰＮ液晶表示素子のセグメント電極４へ出力する前記駆動信号の前記レベルの切り替えとで、互いに異なる状態となるように、前記複数個のＰＮ液晶表示素子の各セグメント電極４に出力する前記駆動信号を制御するＰＮ液晶駆動装置として機能する。
【００３４】
そして、本第１実施形態においては、このＰＮ液晶駆動装置としての駆動ドライバ２３は、前記互いに異なる状態を、一つのグループに含まれるＰＮ液晶表示素子のセグメント電極４へ出力する前記駆動信号の前記レベルの切り替えのタイミングと、他のグループに含まれるＰＮ液晶表示素子のセグメント電極４へ出力する前記駆動信号の前記レベルの切り替えのタイミングとが、互いに重ならないタイミングとなる状態としている。即ち、セグメント電極４の駆動を全セグメント同時に行なわず、いくつかのグループに分けてタイミングをずらして駆動する。
【００３５】
また、ＰＮ液晶パネル１６は、透明基板である液晶パネルガラス２１と、前記透明基板上に形成された複数個のＰＮ液晶表示素子と、前記透明基板上にＣＯＧ実装された、本実施形態に係るＰＮ液晶駆動装置としての駆動ドライバ２３と、を具備するＰＮ液晶パネルとして機能する。
【００３６】
本第１実施形態のようなＰＮ液晶駆動方法を採ることにより、スタティック駆動方式における駆動波形のレベル切り替わり時に流れる電流を分散することができる、つまり、電流集中を抑えることができるので、レベル切り替わり時の大電流による駆動電圧の降下が少なくなる。よって、ＰＮ液晶表示素子に、所望の表示状態とするのに十分な電圧を印加できようになるので、液晶パネルガラス２１上にＬＳＩ化した駆動ドライバ２３をＣＯＧ実装した狭額縁のＰＮ液晶パネルを製造できるようになる。
【００３７】
また、通常、ＰＮ液晶表示パネルは、コモン電極２の面積に比較してセグメント電極４の面積の方が小さいので、全セグメントを同一表示状態としない場合であっても、選択されたセグメント電極４部に対して本実施形態のようなＰＮ液晶駆動方法を採ることにより、低消費電力化できる。
【００３８】
［第２実施形態］
次に、本発明の第２実施形態について図４を参照して説明する。ここで、図４（Ａ）は、本第２実施形態に係るＰＮ液晶駆動装置及び駆動方法におけるオン表示時の印加電圧波形を表すタイミングチャートを示す図であり、図４（Ｂ）は、同じくオフ表示時の印加電圧波形を表すタイミングチャートを示す図である。
【００３９】
本実施形態に係るＰＮ液晶駆動装置としての駆動ドライバ２３は、前記第１実施形態と同様に、コモン電極２に印加するコモン電極駆動波形ＣＯＭは、直流０Ｖ（グランドレベル）に固定し、表示部２２に配された多数のＰＮ液晶表示素子を２グループ以上（但し、偶数グループ。本実施形態では、グループＡ，Ｂの２グループとする）にグループ化し、コモン電極２とセグメント電極４との間に従来と同様の電位差を与えるために、各グループのセグメント電極４に印加されるセグメント電極波形ＳＥＧ−Ａ，ＳＥＧ−Ｂは、最低値が第１のレベルである電圧ｖｓｅｇ−（例えば−５Ｖ）で最高値が第２のレベルである電圧Ｖｓｅｇ＋（例えば＋５Ｖ）が所定周期で切り替わる方形波とする。
【００４０】
そして、それらセグメント電極波形ＳＥＧ−Ａ，ＳＥＧ−Ｂの周期的なレベル切り替わり状態をグループ間で異なるように行なう。但し、本実施形態では、一つのグループに含まれるＰＮ液晶表示素子のセグメント電極４へ出力するセグメント電極波形（例えばＳＥＧ−Ａ）の前記レベルの正負の切り替え方向と、他のグループに含まれるＰＮ液晶表示素子のセグメント電極４へ出力するセグメント電極波形（例えばＳＥＧ−Ｂ）の前記レベルの正負の切り替え方向とが、反対方向となるようにする。
【００４１】
具体的には、オン表示（透明状態）時には、図４（Ａ）に示すように、ＰＮ液晶表示素子のセグメント電極４に印加されるセグメント電極波形ＳＥＧ−Ａ，ＳＥＧ−Ｂを切り替えるタイミングとなったならば、第１のグループＡに属するＰＮ液晶表示素子のセグメント電極４に印加されるセグメント電極波形ＳＥＧ−Ａを第２のレベルである電圧Ｖｓｅｇ＋から第１のレベルである電圧Ｖｓｅｇ−に切り替えると同時に、第２のグループＢに属するＰＮ液晶表示素子のセグメント電極４に印加されるセグメント電極波形ＳＥＧ−Ｂを第１のレベルである電圧Ｖｓｅｇ−から第２のレベルであるＶｓｅｇ＋に切り替える。こうして、各セグメント電極波形ＳＥＧ−Ａ，ＳＥＧ−Ｂが、正負逆方向に切り替えられる。
【００４２】
そして、前記所定周期が経過してセグメント電極波形ＳＥＧ−Ａ，ＳＥＧ−Ｂを切り替えるタイミングとなったならば、セグメント電極波形ＳＥＧ−Ａを第１のレベルである電圧Ｖｓｅｇ−から第２のレベルである電圧Ｖｓｅｇ＋に切り替えると同時に、第２のグループＢに属するＰＮ液晶表示素子のセグメント電極４に印加されるセグメント電極波形ＳＥＧ−Ｂを第２のレベルである電圧Ｖｓｅｇ＋から第１のレベルであるＶｓｅｇ−に切り替える。こうして、各セグメント電極波形ＳＥＧ−Ａ，ＳＥＧ−Ｂが、正負逆方向に切り替えられる。  
以上のレベル切り替えを交互に行なう。
【００４３】
また、オフ表示（拡散状態）時には、図４（Ｂ）に示すように、セグメント電極波形ＳＥＧ−Ａ，ＳＥＧ−Ｂともに、前記コモン電極駆動波形ＣＯＭと同様、電圧０Ｖ（グランドレベル）のままとする。
【００４４】
従って、前記駆動ドライバ２３は、第１のレベルと第２のレベルとで所定周期で切り替わる駆動信号を、複数個のＰＮ液晶表示素子のそれぞれのセグメント電極４に入力して、スタティック駆動するＰＮ液晶駆動装置であって、前記複数個のＰＮ液晶表示素子を、２グループ以上にグループ化し、前記駆動信号の前記第１のレベルと前記第２のレベルとを正負逆の同一レベルとし、全ＰＮ液晶表示素子に共通のコモン電極２に対してはグランドレベルの信号を出力し、一つのグループに含まれるＰＮ液晶表示素子のセグメント電極４へ出力する前記駆動信号の前記レベルの切り替えと、他のグループに含まれるＰＮ液晶表示素子のセグメント電極４へ出力する前記駆動信号の前記レベルの切り替えとで、互いに異なる状態となるように、前記複数個のＰＮ液晶表示素子の各セグメント電極４に出力する前記駆動信号を制御するＰＮ液晶駆動装置として機能する。
【００４５】
そして、本第２実施形態においては、このＰＮ液晶駆動装置としての駆動ドライバ２３は、前記互いに異なる状態を、一つのグループに含まれるＰＮ液晶表示素子のセグメント電極４へ出力する前記駆動信号の前記レベルの正負の切り替え方向と、他のグループに含まれるＰＮ液晶表示素子のセグメント電極４へ出力する前記駆動信号の前記レベルの正負の切り替え方向とが、反対方向となる状態としている。即ち、セグメント電極４の駆動を全セグメント同時に行なわず、いくつかのグループに分けて、正から負へ切り替えるセグメント電極４と負から正へ切り替えるセグメント電極４とを組み合わせて駆動する。
【００４６】
また、ＰＮ液晶パネル１６は、透明基板である液晶パネルガラス２１と、前記透明基板上に形成された複数個のＰＮ液晶表示素子と、前記透明基板上にＣＯＧ実装された、本実施形態に係るＰＮ液晶駆動装置としての駆動ドライバ２３と、を具備するＰＮ液晶パネルとして機能する。
【００４７】
本第２実施形態のようなＰＮ液晶駆動方法を採ることにより、スタティック駆動方式における駆動波形のレベル切り替わり時に流れる電流の方向を一定にせずにキャンセルすることができる、つまり、電流集中を抑えることができるので、レベル切り替わり時の大電流による駆動電圧の降下が少なくなる。よって、ＰＮ液晶表示素子に、所望の表示状態とするのに十分な電圧を印加できようになるので、液晶パネルガラス２１上にＬＳＩ化した駆動ドライバ２３をＣＯＧ実装した狭額縁のＰＮ液晶パネルを製造できるようになる。
【００４８】
［第３実施形態］
次に、本発明の第３実施形態について図５を参照して説明する。ここで、図５（Ａ）は、本第３実施形態に係るＰＮ液晶駆動装置及び駆動方法におけるオン表示時の印加電圧波形を表すタイミングチャートを示す図であり、図５（Ｂ）は、同じくオフ表示時の印加電圧波形を表すタイミングチャートを示す図である。
【００４９】
本実施形態に係るＰＮ液晶駆動装置としての駆動ドライバ２３は、前記第１実施形態と前記第２実施形態との組み合わせである。
【００５０】
具体的には、オン表示（透明状態）時には、図５（Ａ）に示すように、ＰＮ液晶表示素子のセグメント電極４に印加されるセグメント電極波形ＳＥＧ−Ａ，ＳＥＧ−Ｂを切り替えるタイミングとなったならば、第１のグループＡに属するＰＮ液晶表示素子のセグメント電極４に印加されるセグメント電極波形ＳＥＧ−Ａを第２のレベルである電圧Ｖｓｅｇ＋から第１のレベルである電圧Ｖｓｅｇ−に切り替えると同時に、第２のグループＢに属するＰＮ液晶表示素子のセグメント電極４に印加されるセグメント電極波形ＳＥＧ−Ｂを第１のレベルである電圧Ｖｓｅｇ−から第２のレベルであるＶｓｅｇ＋に切り替える。このとき、第３のグループＣに属するＰＮ液晶表示素子のセグメント電極４に印加されるセグメント電極波形ＳＥＧ−Ｃは第２のレベルである電圧Ｖｓｅｇ＋のままであり、第４のグループＤに属するＰＮ液晶表示素子のセグメント電極４に印加されるセグメント電極波形ＳＥＧ−Ｄは第１のレベルである電圧Ｖｓｅｇ−のままである。そして、セグメント電極波形ＳＥＧ−Ａ，ＳＥＧ−Ｂのレベルが切り替わったならば、次に、セグメント電極波形ＳＥＧ−Ｃを第２のレベルである電圧Ｖｓｅｇ＋から第１のレベルである電圧Ｖｓｅｇ−に切り替えると同時に、セグメント電極波形ＳＥＧ−Ｄを第１のレベルである電圧Ｖｓｅｇ−から第２のレベルであるＶｓｅｇ＋に切り替える。こうして、各セグメント電極波形ＳＥＧ−Ａ，ＳＥＧ−Ｂ，ＳＥＧ−Ｃ，ＳＥＧ−Ｄが、正負逆方向に切り替えられる。
【００５１】
そして、前記所定周期が経過してセグメント電極波形ＳＥＧ−Ａ，ＳＥＧ−Ｂを切り替えるタイミングとなったならば、セグメント電極波形ＳＥＧ−Ａを第１のレベルである電圧Ｖｓｅｇ−から第２のレベルである電圧Ｖｓｅｇ＋に切り替えると同時に、第２のグループＢに属するＰＮ液晶表示素子のセグメント電極４に印加されるセグメント電極波形ＳＥＧ−Ｂを第２のレベルである電圧Ｖｓｅｇ＋から第１のレベルであるＶｓｅｇ−に切り替える。このとき、セグメント電極波形ＳＥＧ−Ｃは第１のレベルである電圧Ｖｓｅｇ−のままであり、セグメント電極波形ＳＥＧ−Ｄは第２のレベルである電圧Ｖｓｅｇ＋のままである。そして、セグメント電極波形ＳＥＧ−Ａ，ＳＥＧ−Ｂのレベルが切り替わったならば、次に、セグメント電極波形ＳＥＧ−Ｃを第１のレベルである電圧Ｖｓｅｇ−から第２のレベルである電圧Ｖｓｅｇ＋に切り替えると同時に、セグメント電極波形ＳＥＧ−Ｄを第２のレベルである電圧Ｖｓｅｇ＋から第１のレベルであるＶｓｅｇ−に切り替える。こうして、各セグメント電極波形ＳＥＧ−Ａ，ＳＥＧ−Ｂ，ＳＥＧ−Ｃ，ＳＥＧ−Ｄが、正負逆方向に切り替えられる。  
以上のレベル切り替えを交互に行なう。
【００５２】
また、オフ表示（拡散状態）時には、図５（Ｂ）に示すように、セグメント電極波形ＳＥＧ−Ａ，ＳＥＧ−Ｂ，ＳＥＧ−Ｃ，ＳＥＧ−Ｄはともに、前記コモン電極駆動波形ＣＯＭと同様、電圧０Ｖ（グランドレベル）のままとする。
【００５３】
従って、本第３実施形態においては、ＰＮ液晶駆動装置としての駆動ドライバ２３は、各グループに含まれるＰＮ液晶表示素子を２つのサブグループにグループ化し、一方のサブグループ（例えばＳＥＧ−Ａ又はＳＥＧ−Ｃ）に含まれるＰＮ液晶表示素子のセグメント電極４へ出力する前記駆動信号の前記レベルの正負の切り替え方向と、他方のサブグループ（例えばＳＥＧ−Ｂ又はＳＥＧ−Ｄ）に含まれるＰＮ液晶表示素子のセグメント電極４へ出力する前記駆動信号の前記レベルの正負の切り替えの方向とを、反対方向としている。
【００５４】
あるいは、本第３実施形態においては、ＰＮ液晶駆動装置としての駆動ドライバ２３は、前記切り替えの方向が正負逆のグループ対を複数（例えばＳＥＧ−ＡとＳＥＧ−Ｂの対、及び、ＳＥＧ−ＣとＳＥＧ−Ｄの対）にして、各グループ対の切り替えのタイミングを互いに異ならせるようにしている。
【００５５】
また、ＰＮ液晶パネル１６は、透明基板である液晶パネルガラス２１と、前記透明基板上に形成された複数個のＰＮ液晶表示素子と、前記透明基板上にＣＯＧ実装された、本実施形態に係るＰＮ液晶駆動装置としての駆動ドライバ２３と、を具備するＰＮ液晶パネルとして機能する。
【００５６】
本第３実施形態のようなＰＮ液晶駆動方法を採ることにより、スタティック駆動方式における駆動波形のレベル切り替わり時に流れる電流を分散することができると共に電流の方向を一定にせずにキャンセルすることができる、つまり、電流集中を抑えることができるので、レベル切り替わり時の大電流による駆動電圧の降下が少なくなる。よって、ＰＮ液晶表示素子に、所望の表示状態とするのに十分な電圧を印加できようになるので、液晶パネルガラス２１上にＬＳＩ化した駆動ドライバ２３をＣＯＧ実装した狭額縁のＰＮ液晶パネルを製造できるようになる。
【００５７】
［第４実施形態］
次に、本発明の第４実施形態について図６を参照して説明する。ここで、図６（Ａ）は、本第４実施形態に係るＰＮ液晶駆動装置及び駆動方法におけるオン表示時の印加電圧波形を表すタイミングチャートを示す図であり、図６（Ｂ）は、同じくオフ表示時の印加電圧波形を表すタイミングチャートを示す図である。
【００５８】
本実施形態に係るＰＮ液晶駆動装置としての駆動ドライバ２３は、前記第１実施形態の駆動方法において、各グループのセグメント電極波形ＳＥＧ−Ａ，ＳＥＧ−Ｂの前記第１のレベルである電圧Ｖｓｅｇ−から前記第２のレベルである電圧Ｖｓｅｇ＋へのレベル切り替わり時と、前記第２のレベルである電圧Ｖｓｅｇ＋から前記第１のレベルである電圧Ｖｓｅｇ−へのレベル切り替わり時との、両方或いは一方で、前記コモン電極駆動波形ＣＯＭと同電位の０Ｖ（グランドレベル）を出力するように駆動するものである。
【００５９】
即ち、オン表示（透明状態）時には、図６（Ａ）に示すように、まず、第１のグループＡに属するＰＮ液晶表示素子のセグメント電極４に印加されるセグメント電極波形ＳＥＧ−Ａを切り替えるタイミングとなったならば、該セグメント電極波形ＳＥＧ−Ａを第２のレベルである電圧Ｖｓｅｇ＋から一旦、０Ｖ（グランドレベル）に切り替える。その後に、該セグメント電極波形ＳＥＧ−Ａを、その０Ｖ（グランドレベル）から第１のレベルである電圧Ｖｓｅｇ−に切り替える。このセグメント電極波形ＳＥＧ−Ａのレベル切り替えを行なっている間、第２のグループＢに属するＰＮ液晶表示素子のセグメント電極４に印加されるセグメント電極波形ＳＥＧ−Ｂは第２のレベルである電圧Ｖｓｅｇ＋のままとする。そして、セグメント電極波形ＳＥＧ−Ａが第１のレベルである電圧Ｖｓｅｇ−に切り替わったならば、次に、セグメント電極波形ＳＥＧ−Ｂを第２のレベルである電圧Ｖｓｅｇ＋から一旦、０Ｖ（グランドレベル）に切り替える。その後に、該セグメント電極波形ＳＥＧ−Ｂを、その０Ｖ（グランドレベル）から第１のレベルである電圧Ｖｓｅｇ−に切り替える。このセグメント電極波形ＳＥＧ−Ｂのレベル切り替えを行なっている間、セグメント電極波形ＳＥＧ−Ａは前記第１のレベルであるＶｓｅｇ−のままである。こうして、各セグメント電極波形ＳＥＧ−Ａ，ＳＥＧ−Ｂが、第２のレベルである電圧Ｖｓｅｇ＋から第１のレベルである電圧Ｖｓｅｇ−に切り替えられる。
【００６０】
そして、前記所定周期が経過してセグメント電極波形ＳＥＧ−Ａを切り替えるタイミングとなったならば、該セグメント電極波形ＳＥＧ−Ａを第１のレベルである電圧Ｖｓｅｇ−から一旦、０Ｖ（グランドレベル）に切り替える。その後に、該セグメント電極波形ＳＥＧ−Ａを、その０Ｖ（グランドレベル）から第２のレベルである電圧Ｖｓｅｇ＋に切り替える。このセグメント電極波形ＳＥＧ−Ａのレベル切り替えを行なっている間、セグメント電極波形ＳＥＧ−Ｂは第１のレベルである電圧Ｖｓｅｇ−のままとする。そして、セグメント電極波形ＳＥＧ−Ａが第２のレベルである電圧Ｖｓｅｇ＋に切り替わったならば、次に、セグメント電極波形ＳＥＧ−Ｂを第１のレベルである電圧Ｖｓｅｇ−から一旦、０Ｖ（グランドレベル）に切り替える。その後に、該セグメント電極波形ＳＥＧ−Ｂを、その０Ｖ（グランドレベル）から第２のレベルである電圧Ｖｓｅｇ＋に切り替える。このセグメント電極波形ＳＥＧ−Ｂのレベル切り替えを行なっている間、セグメント電極波形ＳＥＧ−Ａは前記第２のレベルであるＶｓｅｇ＋のままである。こうして、各セグメント電極波形ＳＥＧ−Ａ，ＳＥＧ−Ｂが、第１のレベルである電圧Ｖｓｅｇ−から第２のレベルである電圧Ｖｓｅｇ＋に切り替えられる。  
以上のレベル切り替えを交互に行なう。
【００６１】
また、オフ表示（拡散状態）時には、図６（Ｂ）に示すように、セグメント電極波形ＳＥＧ−Ａ，ＳＥＧ−Ｂともに、前記コモン電極駆動波形ＣＯＭと同様、電圧０Ｖ（グランドレベル）のままとする。
【００６２】
従って、本第４実施形態においては、ＰＮ液晶駆動装置としての駆動ドライバ２３は、前記セグメント電極に出力する信号として、前記第１のレベルから前記第２のレベルへ切り替えるレベル切り替えの際に、前記第１のレベルの信号状態から、一旦グラウンドレベルの信号状態を所定時間出力した後、前記第２のレベルの信号状態となる信号を出力することと、前記セグメント電極に出力する信号として、前記第２のレベルから前記第１のレベルへ切り替えるレベル切り替えの際に、一旦グラウンドレベルの信号状態を所定時間出力した後、前記第１のレベルの信号状態となる信号を出力することと、の少なくとも一方を行なう。
【００６３】
また、ＰＮ液晶パネル１６は、透明基板である液晶パネルガラス２１と、前記透明基板上に形成された複数個のＰＮ液晶表示素子と、前記透明基板上にＣＯＧ実装された、本実施形態に係るＰＮ液晶駆動装置としての駆動ドライバ２３と、を具備するＰＮ液晶パネルとして機能する。
【００６４】
本第４実施形態のようなＰＮ液晶駆動方法を採ることにより、前記第１実施形態と同様に、スタティック駆動方式における駆動波形のレベル切り替わり時に流れる電流を分散することができる、つまり、電流集中を抑えることができるので、レベル切り替わり時の大電流による駆動電圧の降下が少なくなる。さらに、本実施形態では、スタティック駆動方式における駆動波形のレベル切り替わり時に、セグメント電極に出力する信号を一旦グラウンドレベルの信号状態とすることで、流れる電流を小さく抑えられる。よって、ＰＮ液晶表示素子に、所望の表示状態とするのに十分な電圧を印加できようになるので、液晶パネルガラス２１上にＬＳＩ化した駆動ドライバ２３をＣＯＧ実装した狭額縁のＰＮ液晶パネルを製造できるようになる。
【００６５】
［第５実施形態］
次に、本発明の第５実施形態について図７を参照して説明する。ここで、図７（Ａ）は、本第５実施形態に係るＰＮ液晶駆動装置及び駆動方法におけるオン表示時の印加電圧波形を表すタイミングチャートを示す図であり、図７（Ｂ）は、同じくオフ表示時の印加電圧波形を表すタイミングチャートを示す図である。
【００６６】
本実施形態に係るＰＮ液晶駆動装置としての駆動ドライバ２３は、前記第２実施形態の駆動方法において、各グループのセグメント電極波形ＳＥＧ−Ａ，ＳＥＧ−Ｂの前記第１のレベルである電圧Ｖｓｅｇ−から前記第２のレベルである電圧Ｖｓｅｇ＋へのレベル切り替わり時と、前記第２のレベルである電圧Ｖｓｅｇ＋から前記第１のレベルである電圧Ｖｓｅｇ−へのレベル切り替わり時との、両方或いは一方で、前記コモン電極駆動波形ＣＯＭと同電位の０Ｖ（グランドレベル）を出力するように駆動するものである。
【００６７】
即ち、オン表示（透明状態）時には、図７（Ａ）に示すように、ＰＮ液晶表示素子のセグメント電極４に印加されるセグメント電極波形ＳＥＧ−Ａ，ＳＥＧ−Ｂを切り替えるタイミングとなったならば、第１のグループＡに属するＰＮ液晶表示素子のセグメント電極４に印加されるセグメント電極波形ＳＥＧ−Ａを第２のレベルである電圧Ｖｓｅｇ＋から一旦、０Ｖ（グランドレベル）に切り替えると同時に、第２のグループＢに属するＰＮ液晶表示素子のセグメント電極４に印加されるセグメント電極波形ＳＥＧ−Ｂを第１のレベルである電圧Ｖｓｅｇ−から一旦、０Ｖ（グランドレベル）に切り替える。その後に、セグメント電極波形ＳＥＧ−Ａをその０Ｖ（グランドレベル）から第１のレベルである電圧Ｖｓｅｇ−に切り替えると同時に、セグメント電極波形ＳＥＧ−Ｂをその０Ｖ（グランドレベル）から第２のレベルである電圧Ｖｓｅｇ＋に切り替える。こうして、各セグメント電極波形ＳＥＧ−Ａ，ＳＥＧ−Ｂが、正負逆方向に切り替えられる。
【００６８】
そして、前記所定周期が経過してセグメント電極波形ＳＥＧ−Ａ，ＳＥＧ−Ｂを切り替えるタイミングとなったならば、セグメント電極４に印加されるセグメント電極波形ＳＥＧ−Ａを第１のレベルである電圧Ｖｓｅｇ−から一旦、０Ｖ（グランドレベル）に切り替えると同時に、セグメント電極波形ＳＥＧ−Ｂを第２のレベルである電圧Ｖｓｅｇ＋から一旦、０Ｖ（グランドレベル）に切り替える。その後に、セグメント電極波形ＳＥＧ−Ａをその０Ｖ（グランドレベル）から第２のレベルである電圧Ｖｓｅｇ＋に切り替えると同時に、セグメント電極波形ＳＥＧ−Ｂをその０Ｖ（グランドレベル）から第１のレベルである電圧Ｖｓｅｇ−に切り替える。こうして、各セグメント電極波形ＳＥＧ−Ａ，ＳＥＧ−Ｂが、正負逆方向に切り替えられる。  
以上のレベル切り替えを交互に行なう。
【００６９】
また、オフ表示（拡散状態）時には、図４（Ｂ）に示すように、セグメント電極波形ＳＥＧ−Ａ，ＳＥＧ−Ｂともに、前記コモン電極駆動波形ＣＯＭと同様、電圧０Ｖ（グランドレベル）のままとする。
【００７０】
従って、本第５実施形態においては、ＰＮ液晶駆動装置としての駆動ドライバ２３は、前記セグメント電極に出力する信号として、前記第１のレベルから前記第２のレベルへ切り替えるレベル切り替えの際に、前記第１のレベルの信号状態から、一旦グラウンドレベルの信号状態を所定時間出力した後、前記第２のレベルの信号状態となる信号を出力することと、前記セグメント電極に出力する信号として、前記第２のレベルから前記第１のレベルへ切り替えるレベル切り替えの際に、一旦グラウンドレベルの信号状態を所定時間出力した後、前記第１のレベルの信号状態となる信号を出力することと、の少なくとも一方を行なう。
【００７１】
また、ＰＮ液晶パネル１６は、透明基板である液晶パネルガラス２１と、前記透明基板上に形成された複数個のＰＮ液晶表示素子と、前記透明基板上にＣＯＧ実装された、本実施形態に係るＰＮ液晶駆動装置としての駆動ドライバ２３と、を具備するＰＮ液晶パネルとして機能する。
【００７２】
本第５実施形態のようなＰＮ液晶駆動方法を採ることにより、前記第２実施形態と同様に、スタティック駆動方式における駆動波形のレベル切り替わり時に流れる電流の方向を一定にせずにキャンセルすることができる、つまり、電流集中を抑えることができるので、レベル切り替わり時の大電流による駆動電圧の降下が少なくなる。さらに、本実施形態では、スタティック駆動方式における駆動波形のレベル切り替わり時に、セグメント電極に出力する信号を一旦グラウンドレベルの信号状態とすることで、流れる電流を小さく抑えられると共に、一方のグループに属するＰＮ液晶表示素子に蓄積されている電荷を他方のグループに属するＰＮ液晶表示素子の充電に利用する電荷の再利用が行えるので、電力の節約にも寄与する。よって、ＰＮ液晶表示素子に、所望の表示状態とするのに十分な電圧を印加できようになるので、液晶パネルガラス２１上にＬＳＩ化した駆動ドライバ２３をＣＯＧ実装した狭額縁のＰＮ液晶パネルを製造できるようになる。
【００７３】
［第６実施形態］
次に、本発明の第６実施形態について図８を参照して説明する。ここで、図８（Ａ）は、本第６実施形態に係るＰＮ液晶駆動装置及び駆動方法におけるオン表示時の印加電圧波形を表すタイミングチャートを示す図であり、図８（Ｂ）は、同じくオフ表示時の印加電圧波形を表すタイミングチャートを示す図である。
【００７４】
本実施形態に係るＰＮ液晶駆動装置としての駆動ドライバ２３は、前記第３実施形態の駆動方法において、各グループのセグメント電極波形ＳＥＧ−Ａ，ＳＥＧ−Ｂの前記第１のレベルである電圧Ｖｓｅｇ−から前記第２のレベルである電圧Ｖｓｅｇ＋へのレベル切り替わり時と、前記第２のレベルである電圧Ｖｓｅｇ＋から前記第１のレベルである電圧Ｖｓｅｇ−へのレベル切り替わり時との、両方或いは一方で、前記コモン電極駆動波形ＣＯＭと同電位の０Ｖ（グランドレベル）を出力するように駆動するものである。
【００７５】
即ち、オン表示（透明状態）時には、図８（Ａ）に示すように、ＰＮ液晶表示素子のセグメント電極４に印加されるセグメント電極波形ＳＥＧ−Ａ，ＳＥＧ−Ｂを切り替えるタイミングとなったならば、第１のグループＡに属するＰＮ液晶表示素子のセグメント電極４に印加されるセグメント電極波形ＳＥＧ−Ａを第２のレベルである電圧Ｖｓｅｇ＋から一旦、０Ｖ（グランドレベル）に切り替えると同時に、第２のグループＢに属するＰＮ液晶表示素子のセグメント電極４に印加されるセグメント電極波形ＳＥＧ−Ｂを第１のレベルである電圧Ｖｓｅｇ−から一旦、０Ｖ（グランドレベル）に切り替える。その後に、セグメント電極波形ＳＥＧ−Ａをその０Ｖ（グランドレベル）から第１のレベルである電圧Ｖｓｅｇ−に切り替えると同時に、セグメント電極波形ＳＥＧ−Ｂをその０Ｖ（グランドレベル）から第２のレベルである電圧Ｖｓｅｇ＋に切り替える。このセグメント電極波形ＳＥＧ−Ａ，ＳＥＧ−Ｂのレベル切り替えを行なっている間、第３のグループＣに属するＰＮ液晶表示素子のセグメント電極４に印加されるセグメント電極波形ＳＥＧ−Ｃは第２のレベルである電圧Ｖｓｅｇ＋のままであり、第４のグループＤに属するＰＮ液晶表示素子のセグメント電極４に印加されるセグメント電極波形ＳＥＧ−Ｄは第１のレベルである電圧Ｖｓｅｇ−のままである。そして、セグメント電極波形ＳＥＧ−Ａ，ＳＥＧ−Ｂのレベルが切り替わったならば、次に、セグメント電極波形ＳＥＧ−Ｃを第２のレベルである電圧Ｖｓｅｇ＋から一旦、０Ｖ（グランドレベル）に切り替えると同時に、セグメント電極波形ＳＥＧ−Ｄを第１のレベルである電圧Ｖｓｅｇ−から一旦、０Ｖ（グランドレベル）に切り替える。その後に、セグメント電極波形ＳＥＧ−Ｃをその０Ｖ（グランドレベル）から第１のレベルである電圧Ｖｓｅｇ−に切り替えると同時に、セグメント電極波形ＳＥＧ−Ｄをその０Ｖ（グランドレベル）から第２のレベルである電圧Ｖｓｅｇ＋に切り替える。このセグメント電極波形ＳＥＧ−Ｃ，ＳＥＧ−Ｄのレベル切り替えを行なっている間、セグメント電極波形ＳＥＧ−Ａは第１のレベルである電圧Ｖｓｅｇ−のままであり、セグメント電極波形ＳＥＧ−Ｄは第２のレベルである電圧Ｖｓｅｇ＋のままである。こうして、各セグメント電極波形ＳＥＧ−Ａ，ＳＥＧ−Ｂ，ＳＥＧ−Ｃ，ＳＥＧ−Ｄが、正負逆方向に切り替えられる。
【００７６】
そして、前記所定周期が経過してセグメント電極波形ＳＥＧ−Ａ，ＳＥＧ−Ｂを切り替えるタイミングとなったならば、セグメント電極波形ＳＥＧ−Ａを第１のレベルである電圧Ｖｓｅｇ−から一旦、０Ｖ（グランドレベル）に切り替えると同時に、セグメント電極波形ＳＥＧ−Ｂを第２のレベルである電圧Ｖｓｅｇ＋から一旦、０Ｖ（グランドレベル）に切り替える。その後に、セグメント電極波形ＳＥＧ−Ａをその０Ｖ（グランドレベル）から第２のレベルである電圧Ｖｓｅｇ＋に切り替えると同時に、セグメント電極波形ＳＥＧ−Ｂをその０Ｖ（グランドレベル）から第１のレベルである電圧Ｖｓｅｇ−に切り替える。このセグメント電極波形ＳＥＧ−Ａ，ＳＥＧ−Ｂのレベル切り替えを行なっている間、セグメント電極波形ＳＥＧ−Ｃは第１のレベルである電圧Ｖｓｅｇ−のままであり、セグメント電極波形ＳＥＧ−Ｄは第２のレベルである電圧Ｖｓｅｇ＋のままである。そして、セグメント電極波形ＳＥＧ−Ａ，ＳＥＧ−Ｂのレベルが切り替わったならば、次に、セグメント電極波形ＳＥＧ−Ｃを第１のレベルである電圧Ｖｓｅｇ−から一旦、０Ｖ（グランドレベル）に切り替えると同時に、セグメント電極波形ＳＥＧ−Ｄを第２のレベルである電圧Ｖｓｅｇ＋から一旦、０Ｖ（グランドレベル）に切り替える。その後に、セグメント電極波形ＳＥＧ−Ｃをその０Ｖ（グランドレベル）から第２のレベルである電圧Ｖｓｅｇ＋に切り替えると同時に、セグメント電極波形ＳＥＧ−Ｄをその０Ｖ（グランドレベル）から第１のレベルである電圧Ｖｓｅｇ−に切り替える。このセグメント電極波形ＳＥＧ−Ｃ，ＳＥＧ−Ｄのレベル切り替えを行なっている間、セグメント電極波形ＳＥＧ−Ａは第２のレベルである電圧Ｖｓｅｇ＋のままであり、セグメント電極波形ＳＥＧ−Ｄは第１のレベルである電圧Ｖｓｅｇ−のままである。こうして、各セグメント電極波形ＳＥＧ−Ａ，ＳＥＧ−Ｂ，ＳＥＧ−Ｃ，ＳＥＧ−Ｄが、正負逆方向に切り替えられる。  
以上のレベル切り替えを交互に行なう。
【００７７】
また、オフ表示（拡散状態）時には、図８（Ｂ）に示すように、セグメント電極波形ＳＥＧ−Ａ，ＳＥＧ−Ｂ，ＳＥＧ−Ｃ，ＳＥＧ−Ｄはともに、前記コモン電極駆動波形ＣＯＭと同様、電圧０Ｖ（グランドレベル）のままとする。
【００７８】
従って、本第６実施形態においては、ＰＮ液晶駆動装置としての駆動ドライバ２３は、前記セグメント電極に出力する信号として、前記第１のレベルから前記第２のレベルへ切り替えるレベル切り替えの際に、前記第１のレベルの信号状態から、一旦グラウンドレベルの信号状態を所定時間出力した後、前記第２のレベルの信号状態となる信号を出力することと、前記セグメント電極に出力する信号として、前記第２のレベルから前記第１のレベルへ切り替えるレベル切り替えの際に、一旦グラウンドレベルの信号状態を所定時間出力した後、前記第１のレベルの信号状態となる信号を出力することと、の少なくとも一方を行なう。
【００７９】
また、ＰＮ液晶パネル１６は、透明基板である液晶パネルガラス２１と、前記透明基板上に形成された複数個のＰＮ液晶表示素子と、前記透明基板上にＣＯＧ実装された、本実施形態に係るＰＮ液晶駆動装置としての駆動ドライバ２３と、を具備するＰＮ液晶パネルとして機能する。
【００８０】
本第６実施形態のようなＰＮ液晶駆動方法を採ることにより、前記第３実施形態と同様に、スタティック駆動方式における駆動波形のレベル切り替わり時に流れる電流を分散することができると共に電流の方向を一定にせずにキャンセルすることができる、つまり、電流集中を抑えることができるので、レベル切り替わり時の大電流による駆動電圧の降下が少なくなる。さらに、本実施形態では、スタティック駆動方式における駆動波形のレベル切り替わり時に、セグメント電極に出力する信号を一旦グラウンドレベルの信号状態とすることで、流れる電流を小さく抑えられると共に、あるグループに属するＰＮ液晶表示素子に蓄積されている電荷を他のグループに属するＰＮ液晶表示素子の充電に利用する電荷の再利用が行えるので、電力の節約にも寄与する。よって、ＰＮ液晶表示素子に、所望の表示状態とするのに十分な電圧を印加できようになるので、液晶パネルガラス２１上にＬＳＩ化した駆動ドライバ２３をＣＯＧ実装した狭額縁のＰＮ液晶パネルを製造できるようになる。
【００８１】
［第７実施形態］
前述の第１乃至第５実施形態で説明したようなＰＮ液晶パネル１６を一眼レフレックスカメラのファインダ内表示に適用した場合を考えると、構図用格子線１７やフォーカスポイント表示１８は、実際のカメラの使用時に利用されるものであり、カメラの不使用時には不要なものである。従って、それらの表示を消し、ファインダを透明状態としておくことが望まれる。
【００８２】
一方、ＰＮ液晶表示素子は、透明状態とするためには、前述したようなオン表示の駆動を行なわなければならない。即ち、カメラの不使用時に当該カメラの電源がオフされているにもかかわらず、使用されることのないファインダを透明状態とするためにカメラの電池を利用してＰＮ液晶表示素子の駆動が行なわれることとなる。
【００８３】
そこで、前記第１乃至第６実施形態では、数１０Ｈｚ〜１００Ｈｚ程度の周波数で駆動波形のレベル切り替えを行なっているが、これをカメラの不使用時には、１／２以下の駆動周波数に下げることで、ＰＮ液晶駆動装置としての駆動ドライバ２３での消費電力を抑え、カメラの低消費電力化を図ることが望ましい。
【００８４】
尚、本発明は前記実施形態そのままに限定されるものではなく、実施段階ではその要旨を逸脱しない範囲で構成要素を変形して具体化できる。例えば、一眼レフレックスカメラのファインダ内表示を例に説明したが、その他の機器への適用が可能なことは言うまでもない。尚その場合、全てのＰＮ液晶表示素子を同一表示状態としないときには、前記実施形態のようなグループ化や切り替えタイミングをずらす駆動制御は行なわず、通常の駆動を行なうようにしても構わないことは勿論である。
【００８５】
また、前記実施形態に開示されている複数の構成要素の適宜な組み合わせにより、種々の発明を形成できる。例えば、実施形態に示される全構成要素から幾つかの構成要素を削除しても、発明が解決しようとする課題の欄で述べられた課題が解決でき、かつ、発明の効果が得られる場合には、この構成要素が削除された構成も発明として抽出され得る。
【符号の説明】
【００８６】
１…光源側透明基板
２…コモン電極
３…観察側透明基板
４…セグメント電極
５…ポリマーネットワーク（ＰＮ）
６…液晶分子
７…入射光
８…散乱光
９…透過光
１６…ＰＮ液晶パネル
１７…構図用格子線
１８…フォーカスポイント表示
２１…液晶パネルガラス
２２…表示部
２３…駆動ドライバ
２５，２７…配線パターン
２６…フレキシブル基板
【図１】
2011150018.tif 000003
【図２】
2011150018.tif 000004
【図３】
2011150018.tif 000005
【図４】
2011150018.tif 000006
【図５】
2011150018.tif 000007
【図６】
2011150018.tif 000008
【図７】
2011150018.tif 000009
【図８】
2011150018.tif 000010
【図９】
2011150018.tif 000011